(57)【特許請求の範囲】
【請求項１】
取手(2)の操作によりロット棒ホルダー(5)の案内下に上下動するロット棒(1)、(1)を箱本体から係脱させる扉の鎖錠装置において、前記ロット棒ホルダー(5)を開口部(51)を設けたコ字状の規制枠部材(52)と該開口部(51)を閉塞自在とする閉塞部材(6)よりなるものとして、該ロット棒ホルダー(5)を扉（201）の裏面に取り付けた状態において前記閉塞部材(6)を外した状態として前記ロット棒(1)、(1)を前記開口部(51)から前記規制枠部材(52)に嵌合したうえ前記開口部(51)を前記閉塞部材(6)により閉塞するものとしたことを特徴とする扉の鎖錠装置。
【発明の詳細な説明】
【０００１】
【発明の属する技術分野】
本発明は、電気機器収納箱に使用される取手の操作により上下動するロット棒により鎖錠・解錠を行う扉の鎖錠装置に関するものである。
【０００２】
【従来の技術】
従来の取手の操作により上下動するロット棒により鎖錠・解錠を行う扉の鎖錠装置は、ロット棒が鎖錠位置を的確にとることができるように、ロット棒の水平方向への移動を規制するためのロット棒ホルダーはロット棒を遊嵌する孔を板材に設けたものであった（例えば、実開昭６２−１３２６０７号公報）。
【０００３】
【発明が解決しようとする課題】
ところが、ロット棒をロット棒ホルダーの孔に遊嵌するにはロット棒を取手に連動する作動部材と枢支する前に行う必要があり、取手を扉に取り付けた状態におけるロット棒と作動部材と枢支作業が厄介となる問題がある。
【０００４】
【課題を解決するための手段】
前記の課題を解決するためになされた本発明の扉の鎖錠装置は、取手の操作によりロット棒ホルダーの案内下に上下動するロット棒を箱本体から係脱させる扉の鎖錠装置において、前記ロット棒ホルダーを開口部を設けたコ字状の規制枠部材と該開口部を閉塞自在とする閉塞部材よりなるものとして、該ロット棒ホルダーを扉の裏面に取り付けた状態において前記閉塞部材を外した状態として前記ロット棒を前記開口部から前記規制枠部材に嵌合したうえ前記開口部を前記閉塞部材により閉塞するものとしたことを特徴とするものである。
【０００５】
【発明の実施の形態】
次に、本発明の好ましい実施の形態を図面に基づき説明する。
１、１は取手２の操作により上下動するロット棒である。このロット棒１、１は基端を取手２の操作により上下動する作動部材３にネジ４をもって枢着して、該ロット棒１に設けた係止部１ａを箱本体１０１に設けた受け金具１０２に係脱させて鎖錠・解錠を行うものである。図示の取手２は、本体２１の後面に基端部３１を貫通させて該本体２１の前面に前後方向に回動可能に軸支して、該基端部３１を、本体２１に軸支したフック３２を軸支し、該フック３２と基端部３１とをリンクプレート３３により連結して、取手２が起伏することにより基端部３１が上下動してリンクプレート３３を介してフック３２も上下動してフック３２が箱本体１０１の受け金具１０３に係脱させるものであり、上下動する基端部３１とフック３２を前記作動部材３に構成したものである。すなわち、上方に位置するロット棒１の基端はフック３２にネジ４をもって枢着して下方に位置するロット棒１の基端は取手２の基端部３１にネジ４をもって枢着されている。なお、作動部材３は取手２の回動操作によりロット棒１の基端を枢着した箇所を上下動させるものであってもよい。
【０００６】
５は扉２０１の裏面に取り付けた前記ロット棒１が鎖錠位置に的確に案内するためのロット棒ホルダーであり、該ロット棒ホルダー５は開口部５１を設けたコ字状の規制枠部材５２と開口部５１を閉塞自在とする閉塞部材６よりなるものである。すなわち、図１〜図６に示すロット棒ホルダー５は、扉２０１の側枠部２０２に溶接により取り付ける主板部５２ａの左右縁の少なくとも一側にねじ取付板部５２ｂを連設するとともに主板部５２ａの上下縁の少なくとも一側に前記ねじ取付板部５２ｂとの間にロット棒１が遊嵌できる間隙ｓを残して規制板部５２ｃを連設して開口部５１を設けたコ字状の規制枠部材５２に形成してねじ取付板部５２ｂに設けたねじ孔５２ｄに閉塞部材６である抜け止めねじ６を螺合するものであり、抜け止めねじ６を取り外した状態でロット棒１を横方向からコ字状の規制枠部５２に嵌合して抜け止めねじ６をねじ取付板部５２ｂのねじ孔５２ｄに螺合して開口部５１を閉塞してロット棒１の上下動をロット棒ホルダー５により離脱することなく案内するのである。なお、前記主板部５２ａの内面に半球状突起５４を突設することによりロット棒１を主板部５２ａから離れた位置で保持することができるうえロット棒１の上下動時の摩擦による抵抗も軽減できるものである。
【０００７】
また、図８に示すロット棒ホルダー５は主板部５２ａの左右幅をロット棒１の太さより若干広幅として該主板部５２ａの左右両縁にねじ取付板部５２ｂと規制板部５２ｃを連設した開口部５１を設けたコ字状の規制枠部５２に形成してねじ取付板部５２ｂに設けたねじ孔５２ｄに閉塞部材６である抜け止めねじ６を螺合するものである。さらに、図９に示すロット棒ホルダー５は扉２０１に水平方向に取り付けられる案内板部５３にＵ字状の切欠５３ａを設けて開口部５１を設けたコ字状の規制枠部材５２に形成したうえ前記切欠５３ａの開口部５１の内縁に折曲形成したねじ取付板部５２ｂに設けたねじ孔５２ｄに閉塞部材６である抜け止めねじ６を螺合するものである。
【０００８】
また、前記ロット棒１に設けた係止部１ａは先端部の側面にスライダー７を取り付けてなるものである。すなわち、スライダー７とロット棒１の接触面に相互に噛み合う凹凸溝８を上下方向に対して鉛直方向に設けるとともに該スライダー７又はロット棒１の何方か一方に上下方向の長孔９を他方にネジ孔１０を設けて長孔９から挿通したネジ１１をネジ孔１０に螺合して該スライダー７をロット棒１の先端部の側面に取り付けたものである。なお、図４及び図６に示すようにスライダー７に長孔９を設けるものとした場合は長孔９の孔縁にネジ１１の頭部１１ａが没入できる低段部９ａを設けることが好ましい。また、スライダー７は受け金具１０２との係合面の両側を傾斜面７ａに形成して受け金具１０２への初期の引っ掛かり食いつきがスムーズとしている。さらに、受け金具１０２の係合面の両側を傾斜面７ａに対応した傾斜面１０２ａに形成することがより好ましい。
【０００９】
このように構成されたものは、取手２を操作することによりロット棒１、１を上下動させて、箱本体１０１から係脱させて扉２０１の鎖錠・解錠を行うものである。本発明においては、ロット棒１が鎖錠位置に的確に案内するためのロット棒ホルダー５は開口部５１を設けたコ字状の規制枠部材５２と開口部５１を閉塞自在とする閉塞部材６よりなるものであるから、このロット棒ホルダー５にロット棒１を組み込むには閉塞部材６を外した状態としてロット棒１を開口部５１から規制枠部材５２に嵌合したうえ該開口部５１を閉塞部材６により閉塞すればよいのでロット棒１の基端を取手２の操作により上下動する作動部材３にネジ４をもって枢着した状態でも行うことができるものである。
【００１０】
なお、ロット棒１に設けた係止部１ａを該ロット棒１の先端部の側面に取り付けたスライダー７よりなるものとしたのでロット棒１が箱本体１０１に設けた受け金具１０２に引っ掛かる虞がないので、下方のロット棒１のようにロット棒１が先端側に移動する際にスライダー７が受け金具１０２との係止を解除するものとしてもロット棒１が受け金具１０２に引っ掛かかり扉２０１の開きを阻害することの無いものである。
【００１１】
また、スライダー７とロット棒１との接触面に相互に噛み合う凹凸溝８を設けるとともに該スライダー７又はロット棒１の何方か一方に上下方向の長孔９を他方にネジ孔１０を設けて長孔９から挿通したネジ１１をネジ孔１０を螺合して該スライダー７をロット棒１の先端部の側面に取り付けたものとすることにより、凹凸溝８の噛み合わせ位置を変更することによりスライダー７の位置調整が容易なものである。また、凹凸溝８の噛み合わせにより１本のネジ１１による締めつけであってもスライダー７が傾いて取り付けられる虞も無いものである。
【００１２】
【発明の効果】
以上に説明したように、本発明の扉の鎖錠装置は、ロット棒ホルダーを開口部を設けたコ字状の規制枠部材と該開口部を閉塞自在とする閉塞部材よりなるものとしたのでロット棒のロット棒ホルダーへの組み込みが容易に行えるものである。
従って、従来の扉の鎖錠装置の問題点を解決したものとして業界にもたらす益大なものである。
【図面の簡単な説明】
【図１】本発明の実施の形態を鎖錠状態で示す一部切欠側面図である。
【図２】本発明の実施の形態を鎖錠状態で示す斜視図である。
【図３】本発明の実施の形態を解錠状態で示す斜視図である。
【図４】本発明の実施の形態の要部を示す斜視図である。
【図５】本発明の実施の形態の要部を分解して示す斜視図である。
【図６】本発明の実施の形態の要部を示す断面図である。
【図７】本発明の実施の形態の要部を分解して示す斜視図である。
【図８】本発明に使用するロット棒ホルダーの他例を示すもので、（Ａ）は断面図、（Ｂ）は斜視図である。
【図９】本発明に使用するロット棒ホルダーの他例を示すもので、（Ａ）は断面図、（Ｂ）は斜視図である。
【符号の説明】
１  ロット棒
1a  係止部
２  取手
５  ロット棒ホルダー
６  閉塞部材
７  スライダー
８  凹凸溝
９  長孔
10  ネジ孔
11  ネジ
51  開口部
52  コ字状の規制枠部材
101 箱本体
102 受け金具
【図１】
0004632473.tif 000002
【図２】
0004632473.tif 000003
【図３】
0004632473.tif 000004
【図４】
0004632473.tif 000005
【図５】
0004632473.tif 000006
【図６】
0004632473.tif 000007
【図７】
0004632473.tif 000008
【図８】
0004632473.tif 000009
【図９】
0004632473.tif 000010